(57)【要約】【課題】構造が簡単で、尚且つ十分な強度を確保でき、分離、接合操作を容易に行うことができるサーフボードを提供する。【解決手段】ＦＲＰ製外殻６，２２内にウレタンフォーム７を発泡・充填した第１ボード２と第２ボード３を第１，第２接合部で着脱可能に接合し、各接合部は、外殻を構成している上下シェル４，５，２０，２１の端部を延出するとともに重合して連結片１４，２９とし、連結片をボードに形成した段差部１０，２５に被せて皿ねじ３２で止着する構成とした。【選択図】　　図３
2004009750.tif 000002
【特許請求の範囲】
【請求項１】
合成樹脂製の第１上シェルと第１下シェルを板厚方向に接合した第１外殻内に合成樹脂発泡材を充填し、第１外殻の一端に第１接合部を形成した第１ボードと、合成樹脂製の第２上シェルと第２下シェルを板厚方向に接合した第２外殻内に合成樹脂発泡材を充填し、第２外殻の一端に第２接合部を形成した第２ボードとからなり、上記第１接合部と第２接合部とを離脱可能な状態で接合して第１ボードと第２ボードを一連の板に合体するサーフボードであって、
前記第１接合部は、第１上シェルの第１接合部側端部に第１段差部を形成するとともにその先端部分を下方に屈曲して第１小口部とし、尚且つ第１小口部の下端を水平方向に延設して第１上重合部を形成し、第１下シェルの第１接合部側端部を上記第１小口部よりも先方に延設して第１下重合部を形成し、該第１下重合部と上記第１上重合部とを重合して第１連結片を構成し、
前記第２接合部は、第２下シェルの第２接合部側端部に第２段差部を形成するとともにその先端部分を上方に屈曲して第２小口部とし、尚且つ第２小口部の上端を水平方向に延設して第２下重合部を形成し、第２上シェルの第２接合部側端部を上記第２小口部よりも先方に延設して第２上重合部を形成し、該第２上重合部と上記第２下重合部とを重合して第２連結片を構成し、
第２連結片を第１段差部に、第１連結片を第２段差部に重ねて、各連結片を各段差部に着脱可能な止着手段により止着して第１ボードと第２ボードを一連に合体することを特徴とするサーフボード。
【請求項２】
前記止着手段は、段差部に埋設された雌ねじ部材と、該雌ねじ部材に螺合可能な雄ねじ部材とから構成され、連結片に開設した孔内に挿入した雄ねじ部材を雌ねじ部材に螺合することにより第１接合部と第２接合部とを離脱可能な状態で接合することを特徴とする請求項１に記載のサーフボード。
【請求項３】
内部に繊維を埋設して強化した繊維強化合成樹脂により前記シェルを構成し、上記繊維を、段差部から小口部を経て重合部まで連続させたことを特徴とする請求項１または請求項２に記載のサーフボード。
【請求項４】
前記第２小口部は左右方向の中央部分がフロント側に突出した凸形とし、第１小口部は左右方向の中央部分がフロント側に窪んだ凹形とし、
上記凹凸の方向に対応させて止着手段の位置を、ボードの左右方向中央部分に配置されるものから順次後方に位置をずらせて他の止着手段を配置したことを特徴とする請求項１から請求項３のいずれかに記載のサーフボード。
【発明の詳細な説明】
【０００１】
【発明の属する技術分野】
本発明は、波乗りに使用するサーフボードに関するもので、特に分割して搬送可能としたものである。
【０００２】
【従来の技術】
従来のサーフボードは、繊維強化プラスチック（以下、ＦＲＰという）製の上シェルと下シェルを板厚方向に接合して外郭を構成し、この外郭の内部にウレタンフォームを充填した一枚の板である。そして、従来のサーフボードは、搬送の容易性を考慮して長さを約２ｍに設定して作製されている。
【０００３】
【発明が解決しようとする課題】
ところで、サーフボードは荒波の上を体重移動によってコントロールしながら波と共に進むものであるので、全長が長い方が安定性に優れる。しかしながら、全長を長くすると搬送が困難になってしまう。
この搬送の困難性を解決するには、全長の途中から分離できるように構成し、使用するときには接合部で接合することが考えられる。
【０００４】
しかしながら、単に接合部で分離したり接合できるようにしただけでは、強度、特に曲げ強度が不足してしまう。そこで、この曲げ強度を高めるために、一般的には、接合部を金属製あるいはカーボン繊維強化プラスチック製のパイプとスリーブで構成したり、或いはインロウやアリ溝にすることが考えられる。しかし、実際は、インロウやアリ溝をＦＲＰで作製することは極めて困難なので、この場合には金属を使用しなければならず、金属製の部品を使用すると重量が増大したり、製造工程が大幅に増加してしまう。また、接合部の構造が複雑になると、組み付け作業が面倒になってしまい実用に供し得ない。
【０００５】
本発明は上記した事情に鑑み提案されたもので、その目的は、構造が簡単で、尚且つ十分な強度を確保でき、分離、接合操作を容易に行うことができ組付け精度の高いサーフボードを提供しようとするものである。
【０００６】
【課題を解決するための手段】
本発明は上記目的を達成するために提案されたもので、請求項１に記載のものは、合成樹脂製の第１上シェルと第１下シェルを板厚方向に接合した第１外殻内に合成樹脂発泡材を充填し、第１外殻の一端に第１接合部を形成した第１ボードと、合成樹脂製の第２上シェルと第２下シェルを板厚方向に接合した第２外殻内に合成樹脂発泡材を充填し、第２外殻の一端に第２接合部を形成した第２ボードとからなり、上記第１接合部と第２接合部とを離脱可能な状態で接合して第１ボードと第２ボードを一連の板に合体するサーフボードであって、
前記第１接合部は、第１上シェルの第１接合部側端部に第１段差部を形成するとともにその先端部分を下方に屈曲して第１小口部とし、尚且つ第１小口部の下端を水平方向に延設して第１上重合部を形成し、第１下シェルの第１接合部側端部を上記第１小口部よりも先方に延設して第１下重合部を形成し、該第１下重合部と上記第１上重合部とを重合して第１連結片を構成し、
前記第２接合部は、第２下シェルの第２接合部側端部に第２段差部を形成するとともにその先端部分を上方に屈曲して第２小口部とし、尚且つ第２小口部の上端を水平方向に延設して第２下重合部を形成し、第２上シェルの第２接合部側端部を上記第２小口部よりも先方に延設して第２上重合部を形成し、該第２上重合部と上記第２下重合部とを重合して第２連結片を構成し、
第２連結片を第１段差部に、第１連結片を第２段差部に重ねて、各連結片を各段差部に着脱可能な止着手段により止着して第１ボードと第２ボードを一連に合体することを特徴とするサーフボードである。
ここで、本願におけるサーフボードは、ウインドサーフィン用のボードを含む概念である。
【０００７】
請求項２に記載のものは、前記止着手段が、段差部に埋設された雌ねじ部材と、該雌ねじ部材に螺合可能な雄ねじ部材とから構成され、連結片に開設した孔内に挿入した雄ねじ部材を雌ねじ部材に螺合することにより第１接合部と第２接合部とを離脱可能な状態で接合することを特徴とする請求項１に記載のサーフボードである。
【０００８】
請求項３に記載のものは、内部に繊維を埋設して強化した繊維強化合成樹脂により前記シェルを構成し、上記繊維を、段差部から小口部を経て重合部まで連続させたことを特徴とする請求項１または請求項２に記載のサーフボードである。
【０００９】
請求項４に記載のものは、前記第２小口部は左右方向の中央部分がフロント側に突出した凸形とし、第１小口部は左右方向の中央部分がフロント側に窪んだ凹形とし、
上記凹凸の方向に対応させて止着手段の位置を、ボードの左右方向中央部分に配置されるものから順次後方に位置をずらせて他の止着手段を配置したことを特徴とする請求項１から請求項３のいずれかに記載のサーフボードである。
【００１０】
【発明の実施の形態】
以下、本発明の実施の形態を図面に基づいて説明する。
図１は本発明に係るサーフボード１の接合した状態における斜視図、図２は第１ボード２と第２ボード３とに分離した状態における接合部の斜視図である。
【００１１】
サーフボード１は、図１に示すように、全体がほぼ柳葉形状の板材であり、図中左側に示す前半の第１ボード２と右側に示す後半の第２ボード３とを離脱可能な状態で接合されている。
【００１２】
図１〜３に示すように、第１ボード２は、繊維強化合成樹脂（本実施形態では板厚内部略中央にガラスやカーボンなどの繊維８を配設したＦＲＰ）製の第１上シェル４と第１下シェル５を板厚方向に接合して第１外殻６を形成し、該第１外殻６内に合成樹脂発泡材（本実施形態では硬質ウレタンフォーム７）を充填し、第１外殻６の一端（後端）に第１接合部９を形成してある。第１上シェル４は、図１に示すように、幅狭な先端（フロント側）から後方に向かって緩やかに拡幅し、幅方向の断面形状は、図４に示すように、左右両側部が下方に向けて略円弧状に彎曲している。この第１上シェル４に対して下方から接合される第１下シェル５は、第１上シェル４に対応して、幅狭な前端から後方に向かって緩やかに拡幅し、幅方向の断面形状は、図４に示すように、左右両側部が上方に向けて略円弧状に彎曲している。したがって、前記した第１上シェル４と第２下シェルを上下に合わせて接着剤により接着すると、内部が空隙となった第１外殻６を形成することができる。そして、この第１外殻６内に硬質ウレタンフォーム７を発泡・充填すると第１ボード２となる。
【００１３】
第１ボード２の後端に設ける第１接合部９は、第１上シェル４の第１接合部９側端部（後端）に、後述する第２連結片が丁度収まる第１段差部１０を断面横長倒Ｕ字状に形成し、この第１段差部１０の先端部分（ボード２の前後方向で言えば後端）を下方に斜めに屈曲成形して長円形の第１小口部１１とし、尚且つ第１小口部１１の下端を水平方向に後ろ向きに延設して断面横長Ｕ字状の第１上重合部１２を形成し、さらに第１下シェル５の第１接合部９側の端部（後端）を上記第１小口部１１よりも先方（ボードの前後方向で言えば後端）に延設して断面横長Ｕ字状の第１下重合部１３を形成し、該第１下重合部１３と上記第１上重合部１２とを重合した状態で接着して第１連結片１４を構成する。したがって、第１連結片１４は、第１上シェル４と第１下シェル５との２枚のＦＲＰが一体化され、しかも第１上シェル４を構成しているＦＲＰの繊維８が段差部１０から第１小口部１１を経て第１上重合部１２まで連続するとともに、第１下シェル５を構成しているＦＲＰの繊維が第１下重合部１３まで連続しており、これら繊維が連続している板を二重に重ねて一体化しているので、強靭な片となる。そして、この第１連結片１４に、皿ねじ用の皿モミした孔１５を幅方向に複数箇所開設する。なお、孔１５の開口位置は、後述する第２ボード３の第２段差部に設けられた雌ねじ部材に対応する位置である。
【００１４】
また、前記第１段差部１０には、雌ねじ部材として抜け止め付きナット１６を幅方向に複数箇所埋設して固定する。このナット１６は、後述する第２連結片の孔に対応した位置にＦＲＰ製造時に埋設する。
【００１５】
第２ボード３は、第１ボード２と同様に、ＦＲＰ製の第２上シェル２０と第２下シェル２１を板厚方向に接合して第２外殻２２を形成し、該第２外殻２２内にウレタンフォーム７を充填し、第２外殻２２の一端（前端）に第２接合部２３を形成してある。第２上シェル２０は、図１に示すように、幅狭な後端から前方に向かって緩やかに拡幅し、幅方向の断面形状は、左右両側部が下方に向けて略円弧状に彎曲している。この第２上シェル２０に対して下方から接合される第２下シェル２１は、第２上シェル２０に対応して、幅狭な後端から前方に向かって緩やかに拡幅し、幅方向の断面形状は、左右両側部が上方に向けて略円弧状に彎曲している。したがって、第２上シェル２０と第２下シェル２１を上下に合わせて接着剤により接着すると、内部が空隙となった第２外殻２２を形成することができ、この第２外殻２２内に硬質ウレタンフォーム７を発泡・充填すると第２ボード３となる。
【００１６】
第２ボード３の前端に設ける第２接合部２３は、第２下シェル２１の第２接合部２３側端部（前端）に、前記した第１連結片１４が下方から丁度収まる第２段差部２５を断面横長Ｕ字状に形成し、この第２段差部２５の先端部分（ボード３の前後方向で言えば前端）を上方に斜めに屈曲成形して長円形の第２小口部２６とし、尚且つ第２小口部２６の上端を水平方向に前向きに延設して断面横長倒Ｕ字状の第２下重合部２７を形成し、さらに第２上シェル２０の第２接合部２３の側端部（前端）を上記第２小口部２６よりも先方（ボード３の前後方向で言えば前方）に延設して断面横長倒Ｕ字状の第２上重合部２８を形成し、該第２上重合部２８と上記第２下重合部２７とを重合した状態で接着剤により接着して断面横長倒Ｕ字状の第２連結片２９を構成する。したがって、第２連結片２９は、第２上シェル２０と第２下シェル２１との２枚のＦＲＰが一体化され、しかも第２下シェル２１を構成しているＦＲＰの繊維８が段差部２５から第２小口部２６を経て第２下重合部２７まで連続するとともに、第２上シェル２０を構成しているＦＲＰの繊維が第２上重合部２８まで連続しており、これら繊維が連続している板を二重に重ねて一体化しているので、強靭な片となる。そして、この第２連結片２９に、皿ねじ用の皿モミした孔３０を幅方向に複数箇所開設する。なお、孔３０の開口位置は、前記した第１ボード２の第１段差部１０に設けられた雌ねじ部材（ナット１６）に対応する位置である。
【００１７】
また、前記した下向き第２段差部２５には、雌ねじ部材として抜け止め付きナット３１を幅方向に複数箇所埋設して固定する。このナット３１を埋設する位置は、前記した第１連結片１４の孔１５に対応した位置である。
【００１８】
次に、上記した構成からなる第１ボード２と第２ボード３とを接合する手順について説明する。
海岸等の使用場所に到着したならば、図２に示すように、第１ボード２の後端に位置する第１接合部９と第２ボード３の前端に位置する第２接合部２３とを向かい合わせ、第１ボード２の第１連結片１４を第２ボード３の第２段差部２５の下に、第２ボード３の第２連結片２９を第１ボード２の第１段差部１０の上にそれぞれ被せて各孔１５，３０を雌ねじ部材（ナット１６，ナット３１）の雌ねじ穴に一致させ、この状態で止着手段の一種である皿ねじ３２を孔１５，３０内に挿入して雌ねじ穴に螺合して締め付け固定する。なお、皿ねじ３２は、六角穴付きのものを使用すると、六角レンチにより容易、且つ確実に締め込むことができる。そして、本実施形態では、止着手段として皿ねじ３２を使用しているので、締め付け固定する際に皿孔１５と皿ねじ３２の皿状頭部が位置機能を発揮するので、接合位置を正確に合わせた状態で高い組付け精度を確保して接合することができる。
【００１９】
この様にして、すべての孔１５，３０内から皿ねじ３２を挿入して十分に締め付けると、図３に示すように、第１小口部１１と第２小口部２６とが前後から合わさるとともに、第２連結片２９が第１段差部１０に、第１連結片１４が第２段差部２５にそれぞれ収まり、これにより第１ボード２の外表面と第２ボード３の外表面とが同じ面となり、第１ボード２と第２ボード３とが一連に合体する。
【００２０】
したがって、この様にして合体させた第１ボード２と第２ボード３は、一枚のサーフボード１として使用することができる。そして、このサーフボード１上にサーファーが乗って体重がサーフボード１に曲げ応力として作用しても、更にはサーフィン中に波の落差でサーファーが３ｍ位の高さからサーフボード１上に飛び降りて大きな曲げ応力が上から作用しても、接合部９，２３が破損することはない。
【００２１】
すなわち、サーフボード１に対して上方から荷重が掛かると、第１，第２小口部１１，２６の下部が口開きする方向に曲げモーメントが発生し、これにより第２ボード３のナット３１に螺合している皿ねじ３２が第１連結片１４を図３中右側に相対的に引っ張る。この時の引張り力は、当該第１連結片１４を構成している第１上重合部１２と第１下重合部１３に作用して第１上シェル４と第１下シェル５とに分散される。したがって、第１連結片１４に大きな引っ張り力が作用したとしても力の分散によって十分に受け止めることができ、破損することはない。
【００２２】
そして、本実施形態では、一方のシェルを構成しているＦＲＰの繊維８が段差部１０，２５から小口部１１，２６を経て一方の重合部まで連続するとともに、他方のシェルを構成しているＦＲＰの繊維が他方の重合部まで連続しており、これら繊維が連続している部分を二重に重ねて一体化して連結片１４，２９を構成しているので、十分な強度を確保できる。なお、シェルのＦＲＰは厚さが約２ｍｍであり、連結片１４，２９の厚さは接着層を含めて約４．５ｍｍとなる。さらに、本実施形態においては連結片１４，２９を止着しているフロント側の皿ねじ３２とリア側の皿ねじ３２の間隔Ｐが大きいので、曲げモーメントにより生じる引っ張り力が小さくなって有利である。
【００２３】
また、サーフボード１に対して下方から荷重が掛かって第１，第２小口部１１，２６の上部が口開きする方向に曲げモーメントが発生した場合は、前記と同様の原理により、第２連結片２９に作用した引っ張り力を第２上重合部２８と第２下重合部２７とに分散、すなわち第２上シェル２０と第２下シェル２１とに分散させることができる。したがって、第２連結片２９に大きな引っ張り力が作用したとしても十分に受け止めることができ、破損することはない。
【００２４】
そして、サーフィンを終了して帰途に着く場合には、皿ねじ３２を外すだけでサーフボード１を第１ボード２と第２ボード３とに簡単に分離して全長を半減することができる。したがって、自動車に載せて搬送する場合、あるいは列車で搬送する場合にも全長が短くできて取り扱いが容易である。
【００２５】
なお、本発明におけるサーフボード１は、帆を張って風を利用して水上を帆走するウインドサーフィンのボードをも含む概念である。
また、前記実施形態では、止着手段として皿ねじ３２とナット１６，３１を用いたが、これに限定されるものではなく、例えばクランプ、ファスナなどでもよい。要は、止着力が十分であって着脱可能に止着することができればよい。
【００２６】
また、前記した実施形態では止着手段としての皿ねじ３２とナット１６，３１をボードの幅方向に直線上に並べて配置したが、止着手段の配置はこれに限らない。例えば、図５に示す他の実施形態では、第２小口部２６の左右方向の中央部分がフロント側に突出した凸形とし、また、第１小口部１１を左右方向の中央部分がフロント側に窪んだ凹形とし、第１，第２連結片１４，２９の形状を第１，第２小口部１１，２６の面の形状に合わせて凹、凸形とする。そして、上記第１，第２小口部１１，２６の凹凸の方向に対応させて止着手段（皿ねじ３２を挿入する孔１５，３０とナット１６，３１）の位置を、ボードの左右方向中央部分に配置されるものから順次後方に位置をずらせて他の止着手段を配置してもよい。この様に、止着手段の位置を前後方向に少しずつずらせると、曲げモーメントを分散させた状態で受けることができ、さらに高い強度を期待することができる。
【００２７】
【発明の効果】
以上説明したように本発明によれば、以下の効果を奏する。
すなわち、サーフボードを第１ボードと第２ボードとに分割することができるので、全長を長くして使用時の安定性を高めても、搬送時には分けることができる。したがって、搬送等の取り扱いが容易である。
そして、第１ボードと第２ボードを接合する接合部の連結片を、上下のシェルを延設した上下の重合片を重合することにより構成しているので、連結片に作用する引っ張り力をそのまま上下のシェルに分散させることができる。したがって、簡単な構造で十分に強靭な接合構造とすることができ、接合、分離の操作も容易であり、取り扱いが簡単である。
【図面の簡単な説明】
【図１】サーフボードの斜視図である。
【図２】第１ボードの第１接合部と第２ボードの接合部の外した状態における斜視図である。
【図３】第１ボードの第１接合部と第２ボードの接合部を接合した状態における図１中Ａ―Ａの断面図である。
【図４】第１ボード及び第２連結片の断面図である。
【図５】止着手段の位置を少しずつ変えた他の実施形態の要部の平面図である。
【符号の説明】
１　サーフボード
２　第１ボード
３　第２ボード
４　第１上シェル
５　第１下シェル
６　第１外殻
７　ウレタンフォーム
８　ＦＲＰの繊維
９　第１接合部
１０　第１段差部
１１　第１小口部
１２　第１上重合部
１３　第１下重合部
１４　第１連結片
１５　孔
１６　雌ねじ部材としてのナット
２０　第２上シェル
２１　第２下シェル
２２　第２外殻
２３　第２接合部
２５　第２段差部
２６　第２小口部
２７　第２下重合部
２８　第２上重合部
２９　第２連結片
３０　孔
３１　ナット
３２　雄ねじ部材としての皿ねじ
Ｆ　フロント
Ｒ　リア
【図１】
2004009750.tif 000003
【図２】
2004009750.tif 000004
【図３】
2004009750.tif 000005
【図４】
2004009750.tif 000006
【図５】
2004009750.tif 000007